(57)【特許請求の範囲】
【請求項１】
キッチンに設置され、調理容器を加熱する加熱部を有するＩＨ加熱調理器と、
キッチンを照らす照明部を有するキッチン照明と、
前記ＩＨ加熱調理器および前記キッチン照明と通信を行い、それらを制御するＨＥＭＳコントローラと、を備え、
前記ＨＥＭＳコントローラは、
前記ＩＨ加熱調理器の調理状態に応じて、前記キッチン照明の前記照明部を制御するものであり、
前記ＩＨ加熱調理器は、
前記調理容器の温度を検知する温度検知部と、
キッチンに人がいるかどうかを検知する人検知部と、を備え、
前記ＨＥＭＳコントローラは、
前記ＩＨ加熱調理器から取得した情報に応じてキッチンに人が不在であり、かつ、前記ＩＨ加熱調理器の温度が基準値以上であると判定したら、
注意喚起時の照明パターンで前記照明部を点灯させる指示信号を前記キッチン照明に送信するものである
ことを特徴とする機器制御システム。
【請求項２】
キッチンに設置され、調理容器を加熱する加熱部を有するＩＨ加熱調理器と、
キッチンを照らす照明部を有するキッチン照明と、
前記ＩＨ加熱調理器および前記キッチン照明と通信を行い、それらを制御するＨＥＭＳコントローラと、を備え、
前記ＨＥＭＳコントローラは、
季節および時間に関する情報を有し、
該情報に応じて、季節および時間があらかじめ設定された条件の場合にキッチンが前記照明部の点灯を要すると判定するものであり、
前記ＩＨ加熱調理器の前記加熱部が動作中であり、かつ、キッチンが前記照明部の点灯を要すると判定したら、
前記照明部を点灯させる指示信号を前記キッチン照明に送信するものである
ことを特徴とする機器制御システム。
【請求項３】
キッチンに設置され、調理容器を加熱する加熱部を有するＩＨ加熱調理器と、
キッチンを照らす照明部を有するキッチン照明と、
前記ＩＨ加熱調理器および前記キッチン照明と通信を行い、それらを制御するＨＥＭＳコントローラと、を備え、
前記キッチン照明は、キッチンの明るさを検知する明るさ検知部を備え、
前記ＨＥＭＳコントローラは、
前記キッチン照明から取得したキッチンの明るさに関する情報に応じて、キッチンの明るさがしきい値以下の場合にキッチンが前記照明部の点灯を要すると判定するものであり、
前記ＩＨ加熱調理器の前記加熱部が動作中であり、かつ、キッチンが前記照明部の点灯を要すると判定したら、
前記照明部を点灯させる指示信号を前記キッチン照明に送信するものである
ことを特徴とする機器制御システム。
【請求項４】
キッチンに設置され、調理容器を加熱する加熱部を有するＩＨ加熱調理器と、
キッチンを照らす照明部を有するキッチン照明と、
前記ＩＨ加熱調理器および前記キッチン照明と通信を行い、それらを制御するＨＥＭＳコントローラと、を備え、
前記ＨＥＭＳコントローラは、
季節および時間に関する情報を有し、
該情報に応じて、季節および時間があらかじめ設定された条件の場合にキッチンが前記照明部の点灯を要すると判定するものであり、
キッチンが前記照明部の点灯を要し、かつ、前記照明部が消灯している判定したら、
使用制限の指示信号を前記ＩＨ加熱調理器に送信するものである
ことを特徴とする機器制御システム。
【請求項５】
キッチンに設置され、調理容器を加熱する加熱部を有するＩＨ加熱調理器と、
キッチンを照らす照明部を有するキッチン照明と、
前記ＩＨ加熱調理器および前記キッチン照明と通信を行い、それらを制御するＨＥＭＳコントローラと、を備え、
前記キッチン照明は、キッチンの明るさを検知する明るさ検知部を備え、
前記ＨＥＭＳコントローラは、
前記キッチン照明から取得したキッチンの明るさに関する情報に応じて、キッチンの明るさがしきい値以下の場合にキッチンが前記照明部の点灯を要すると判定するものであり、
キッチンが前記照明部の点灯を要し、かつ、前記照明部が消灯している判定したら、
使用制限の指示信号を前記ＩＨ加熱調理器に送信するものである
ことを特徴とする機器制御システム。
【請求項６】
前記ＨＥＭＳコントローラは、
キッチンが前記照明部の点灯を要すると判定した後、
前記照明部の照明パターンを設定し、
設定された照明パターンで前記照明部を点灯させる指示信号を前記キッチン照明に送信するものである
ことを特徴とする請求項２〜５のいずれか一項に記載の機器制御システム。
【請求項７】
前記ＨＥＭＳコントローラは、
前記ＩＨ加熱調理器で設定されている調理モードに応じた照明パターンで前記照明部を点灯させる指示信号を前記キッチン照明に送信するものである
ことを特徴とする請求項１〜６のいずれか一項に記載の機器制御システム。
【請求項８】
前記ＨＥＭＳコントローラは、
前記ＩＨ加熱調理器での調理の進行状況に応じた照明パターンで前記照明部を点灯させる指示信号を前記キッチン照明に送信するものである
ことを特徴とする請求項１〜７のいずれか一項に記載の機器制御システム。
【請求項９】
前記キッチン照明の前記照明部は、レンジフード内蔵の照明である
ことを特徴とする請求項１〜８のいずれか一項に記載の機器制御システム。
【発明の詳細な説明】
【技術分野】
【０００１】
本発明は、ＩＨ加熱調理器とキッチン照明とを備える機器制御システムに関するものである。
【背景技術】
【０００２】
従来、ＩＨ加熱調理器とキッチン照明とが連動し、ＩＨ加熱調理器の電源用スイッチの操作に連動して、キッチン照明の点灯、消灯が自動的に行われるものがある（例えば、特許文献１参照）。
【先行技術文献】
【特許文献】
【０００３】
【特許文献１】特開平１０−２０５８４０号公報
【発明の概要】
【発明が解決しようとする課題】
【０００４】
特許文献１は、ＩＨ加熱調理器の電源用スイッチの操作のみと連動してキッチン照明の点灯、消灯が行われるようになっている。そのため、鍋などの調理容器が高温状態でＩＨ加熱調理器に載置されているような場合でも、ＩＨ加熱調理器の電源用スイッチの操作によってキッチン照明を消灯してしまい、ＩＨ加熱調理器の扱いやすさに課題があった。
【０００５】
本発明は、以上のような課題を解決するためになされたもので、ＩＨ加熱調理器を扱いやすくした機器制御システムを提供することを目的としている。
【課題を解決するための手段】
【０００６】
本発明に係る機器制御システムは、キッチンに設置され、調理容器を加熱する加熱部を有するＩＨ加熱調理器と、キッチンを照らす照明部を有するキッチン照明と、前記ＩＨ加熱調理器および前記キッチン照明と通信を行い、それらを制御するＨＥＭＳコントローラと、を備え、前記ＨＥＭＳコントローラは、前記ＩＨ加熱調理器の調理状態に応じて、前記キッチン照明の前記照明部を制御するものであり、前記ＩＨ加熱調理器は、前記調理容器の温度を検知する温度検知部と、キッチンに人がいるかどうかを検知する人検知部と、を備え、前記ＨＥＭＳコントローラは、前記ＩＨ加熱調理器から取得した情報に応じてキッチンに人が不在であり、かつ、前記ＩＨ加熱調理器の温度が基準値以上であると判定したら、注意喚起時の照明パターンで前記照明部を点灯させる指示信号を前記キッチン照明に送信するものである。
【発明の効果】
【０００７】
本発明に係る機器制御システムによれば、ＩＨ加熱調理器の調理状態に応じて、キッチン照明の照明部を制御する。そのため、ＩＨ加熱調理器の操作部で電源ＯＦＦ操作が行われた場合でも、ＩＨ加熱調理器の天板に調理容器が高温状態で載置されているような状態では、キッチン照明の照明部が消灯することがなく、ＩＨ加熱調理器を扱いやすくすることができる。
【図面の簡単な説明】
【０００８】
【図１】本発明の実施の形態１に係る機器制御システムを示す概略図である。
【図２】本発明の実施の形態１に係る機器制御システムを示す構成図である。
【図３】本発明の実施の形態１に係る機器制御システムを示す機能ブロック図である。
【図４】本発明の実施の形態１に係る機器制御システムの制御の一例を示すフローチャートである。
【図５】本発明の実施の形態２に係る機器制御システムの制御の一例を示すフローチャートである。
【図６】本発明の実施の形態３に係る機器制御システムを示す機能ブロック図である。
【図７】本発明の実施の形態４に係る機器制御システムを示す機能ブロック図である。
【図８】本発明の実施の形態４に係る機器制御システムの制御の一例を示すフローチャートである。
【図９】本発明の実施の形態５に係る機器制御システムの制御の一例を示すフローチャートである。
【発明を実施するための形態】
【０００９】
以下、本発明の実施の形態を図面に応じて説明する。なお、以下に説明する実施の形態によって本発明が限定されるものではない。また、以下の図面では各構成部材の大きさの関係が実際のものとは異なる場合がある。
【００１０】
実施の形態１．
図１は、本発明の実施の形態１に係る機器制御システム１０を示す概略図であり、図２は、本発明の実施の形態１に係る機器制御システム１０を示す構成図である。
本実施の形態１に係る機器制御システム１０は、操作端末１０１から送信された操作信号に応じて、または電気機器から送信された状態信号に応じて電気機器を制御する１台のＨＥＭＳ（Home Energy Management System）コントローラ１１と、ＨＥＭＳコントローラ１１から送信された指示信号に応じて、または操作部２２４（後述する図３参照）から入力された命令に応じて動作する電気機器の一つであるＩＨ加熱調理器２００と、ＨＥＭＳコントローラ１１から送信された指示信号に応じて、または操作部３２４（後述する図３参照）から入力された命令に応じて動作する電気機器の一つであるキッチン照明３００と、から構成される。
なお、機器制御システム１０には、ＩＨ加熱調理器２００およびキッチン照明３００に加え、他の電気機器を備えていてもよい。
【００１１】
ＨＥＭＳコントローラ１１は、ＩＨ加熱調理器２００およびキッチン照明３００の外部に設けられた外部コントローラである。ＨＥＭＳコントローラ１１は、操作端末１０１から送信された操作信号に応じて、または、各電気機器から送信された状態信号に応じて連動しているＩＨ加熱調理器２００およびキッチン照明３００を制御するものである。
【００１２】
ＩＨ加熱調理器２００およびキッチン照明３００は、ＨＥＭＳコントローラ１１から送信された指示信号に応じて、または操作部２２４、３２４から入力された命令に応じて動作するものである。
【００１３】
操作端末１０１は、例えば、携帯用の電子機器、或いは、パーソナルコンピュータである。操作端末１０１は、ＨＥＭＳコントローラ１１と、例えばWi-Fi（登録商標、以下省略する）通信が可能である。また、操作端末１０１は、インターネット１０３とブロードバンドルータ１０２とを介して、ＨＥＭＳコントローラ１１と通信可能である。よって、操作端末１０１は、Wi-Fi通信エリア内に加え、Wi-Fi通信エリア外からもＨＥＭＳコントローラ１１に操作信号を送信可能である。操作端末１０１には、ＨＥＭＳコントローラ１１を介してＩＨ加熱調理器２００およびキッチン照明３００を操作するためのユーザインタフェースがインストールされている。
【００１４】
上述した機器制御システム１０、操作端末１０１（ＨＥＭＳコントローラ１１とWi-Fi通信が可能な操作端末）、ブロードバンドルータ１０２は、一般的に、屋内（建物周辺も含む）に配置される。インターネット１０３を介した通信が可能である操作端末１０１は、屋内外に配置される。
【００１５】
図３は、本発明の実施の形態１に係る機器制御システム１０を示す機能ブロック図である。
ＨＥＭＳコントローラ１１は、図３に示すように、ＨＥＭＳコントローラ１１全体を制御する制御部１１１と、無線通信（Wi-Fi通信）を可能にする無線通信インタフェース１１２と、有線通信を可能にする有線通信インタフェース１１３と、時間を計測するタイマ部１１４と、制御部１１１が参照する情報を記憶する記憶部１１５と、を備える。制御部１１１と、無線通信インタフェース１１２と、有線通信インタフェース１１３と、タイマ部１１４と、記憶部１１５とは、バスラインＢＬで相互に接続されている。
【００１６】
制御部１１１は、例えばＣＰＵ（Central Processing Unit）とＲＯＭ（Read only Memory）とＲＡＭ（Random Access Memory）と、を備えており、操作端末１０１から受信した操作信号に応じて電気機器を制御するものである。このとき、制御部１１１のＣＰＵは、ＲＯＭに格納されたプログラムを実行する。
【００１７】
無線通信インタフェース１１２は、ＩＨ加熱調理器２００およびキッチン照明３００に設けられた後述する無線通信インタフェース２２３、３２３と無線通信（Wi-Fi通信）を行い、操作端末１０１から送信された指示信号、またはＩＨ加熱調理器２００およびキッチン照明３００から送信された状態信号に応じた指示信号を、無線通信インタフェース２２３、３２３に送信するものである。
【００１８】
有線通信インタフェース１１３は、ブロードバンドルータ１０２と有線通信を行い、インターネット１０３に接続された操作端末１０１からの操作信号を受信するものである。
【００１９】
タイマ部１１４は、例えばカウンターから構成されており、時間を計測するものである。なお、制御部１１１は、操作端末１０１から設定された年月日およびタイマ部１１４で計測された時間から、現在の季節および現在の時間を得ることができる。
【００２０】
記憶部１１５は、例えばフラッシュメモリから構成されており、この記憶部１１５には、電気機器への指示内容などが記憶されている。
【００２１】
ＩＨ加熱調理器２００は、キッチンに設置され、天板の上に載置された調理容器を加熱して調理するものである。
ＩＨ加熱調理器２００は、ＩＨ加熱調理器２００全体を制御する制御部２２１と、制御部２２１が参照する情報を記憶する記憶部２２２と、無線通信を可能にする無線通信インタフェース２２３と、ユーザーから命令が入力される操作部２２４と、天板の上に載置された調理容器を加熱する加熱部２２５と、調理容器の温度を検知する温度検知部２２６と、を備える。なお、ＩＨ加熱調理器２００の上記各部はバスラインＢＬで相互に接続されている。
【００２２】
制御部２２１は、例えばＣＰＵとＲＯＭとＲＡＭと、を備えている。制御部２２１は、ＨＥＭＳコントローラ１１から送信された指示信号を、無線通信インタフェース２２３を介して受信すると、指示信号の内容に応じて、加熱部２２５などを制御するものである。また、制御部２２１は、操作部２２４から命令が入力されると、命令の内容に応じて加熱部２２５などを制御するものである。このとき、制御部２２１のＣＰＵは、ＲＯＭに格納されたプログラムを実行する。
【００２３】
記憶部２２２は、例えばフラッシュメモリから構成されており、この記憶部２２２には、調理モードの情報などが記憶されている。
無線通信インタフェース２２３は、ＨＥＭＳコントローラ１１から送信された指示信号を受信するものである。また、ＩＨ加熱調理器２００の状態信号をＨＥＭＳコントローラ１１に送信するものである。
操作部２２４は、電源用スイッチ、火力調整ボタンなどで構成されており、ユーザーによって操作されるものである。
【００２４】
加熱部２２５は、例えば誘導加熱コイルであり、天板の上に載置された調理容器を加熱するものである。
温度検知部２２６は、例えばサーミスタであり、天板を介して天板の上に載置されている調理容器の温度を検知するものである。
【００２５】
キッチン照明３００は、キッチンに設置され、キッチンを照らすものである。
キッチン照明３００は、キッチン照明３００全体を制御する制御部３２１と、制御部３２１が参照する情報を記憶する記憶部３２２と、無線通信を可能にする無線通信インタフェース３２３と、ユーザーから命令が直接入力される操作部３２４と、キッチンを照らすＬＥＤなどである照明部３２５と、を備える。なお、キッチン照明３００の上記各部はバスラインＢＬで相互に接続されている。
【００２６】
制御部３２１は、ＣＰＵとＲＯＭとＲＡＭと、を備えている。制御部３２１は、ＨＥＭＳコントローラ１１から送信された指示信号を、無線通信インタフェース３２３を介して受信すると、指示信号の内容に応じて照明部３２５などを制御するものである。また、制御部３２１は、操作部３２４から命令が入力されると、命令の内容に応じて照明部３２５などを制御するものである。このとき、制御部３２１のＣＰＵは、ＲＯＭに格納されたプログラムを実行する。
【００２７】
記憶部３２２は、例えばフラッシュメモリから構成されており、この記憶部３２２には、照明モードの情報などが記憶されているものである。
無線通信インタフェース３２３は、ＨＥＭＳコントローラ１１から送信された指示信号を受信する。また、キッチン照明３００の状態信号をＨＥＭＳコントローラ１１に送信するものである。
【００２８】
操作部３２４は、電源用スイッチ、明るさ調整ボタンなどで構成されており、ユーザーによって操作されるものである。
照明部３２５は、例えばＬＥＤであり、キッチン照明３００が設置されているキッチンを照らして明るくするものである。
【００２９】
図４は、本発明の実施の形態１に係る機器制御システム１０の制御の一例を示すフローチャートである。
以下、本実施の形態１に係る機器制御システム１０の制御の一例を、図４を参照して説明する。
ＨＥＭＳコントローラ１１は、ＩＨ加熱調理器２００およびキッチン照明３００から現在の状態など各種情報を受信する（ステップＳ１０１）。
ＨＥＭＳコントローラ１１は、ＩＨ加熱調理器２００から取得した情報に応じてＩＨ加熱調理器２００の加熱部２２５が動作中であるかどうかを判定する（ステップＳ１０２）。
【００３０】
ＨＥＭＳコントローラ１１は、ＩＨ加熱調理器２００の加熱部２２５が動作中であると判定した場合は（ステップＳ１０２のＹｅｓ）、自身が有する現在の季節および現在の時間の情報に応じてキッチンが照明部３２５の点灯を要するかどうかを判定する（ステップＳ１０３）。例えば、ＨＥＭＳコントローラ１１は、現在が冬の１７時であったらキッチンが照明部３２５の点灯を要すると判定し、現在が夏の１７時であったらキッチンが照明部３２５の点灯を要しないと判定する。
【００３１】
ＨＥＭＳコントローラ１１は、キッチンが照明部３２５の点灯を要すると判定した場合は（ステップＳ１０３のＹｅｓ）、キッチン照明３００に照明部３２５を点灯させる指示信号を送信する（ステップＳ１０４）。
一方、ＨＥＭＳコントローラ１１は、キッチンが照明部３２５の点灯を要しないと判定した場合は（ステップＳ１０３のＮｏ）、キッチン照明３００に照明部３２５を消灯させる指示信号を送信する（ステップＳ１０６）。
【００３２】
その後、ＨＥＭＳコントローラ１１は、ＩＨ加熱調理器２００およびキッチン照明３００から現在の状態など各種情報を受信し（ステップＳ１０１）、ＩＨ加熱調理器２００から取得した情報に応じてＩＨ加熱調理器２００の加熱部２２５が動作中であるかどうかを判定する（ステップＳ１０２）。
ＨＥＭＳコントローラ１１は、ＩＨ加熱調理器２００の加熱部２２５が動作中でなくなった、つまり加熱部２２５が停止したと判定した場合は（ステップＳ１０２のＮｏ）、ＩＨ加熱調理器２００から取得した情報に応じてＩＨ加熱調理器２００の天板に載置されている調理容器の温度が基準値以上（以下、高温と称する）であるかどうかを判定する（ステップＳ１０５）。
【００３３】
ＨＥＭＳコントローラ１１は、調理容器が高温状態でなくなったと判定した場合は（ステップＳ１０５のＮｏ）、キッチン照明３００に照明部３２５を消灯させる指示信号を送信する（ステップＳ１０６）。
一方、ＨＥＭＳコントローラ１１は、調理容器が高温状態であると判定した場合は（ステップＳ１０５のＹｅｓ）、ステップＳ１０１へ戻る。
【００３４】
以上、本実施の形態１に係る機器制御システム１０によれば、ＩＨ加熱調理器２００の調理状態に応じてキッチン照明３００の照明部３２５を制御する。そのため、ＩＨ加熱調理器２００の操作部２２４で電源ＯＦＦ操作が行われた場合でも、ＩＨ加熱調理器２００の天板に調理容器が高温状態で載置されているような状態では、キッチン照明３００の照明部３２５が消灯することがなく、安全性を向上させることができる。
【００３５】
なお、キッチン照明３００の変わりにレンジフードをＨＥＭＳコントローラ１１に連動させ、ＩＨ加熱調理器２００の調理状態に応じてレンジフード内蔵の照明を制御するようにしてもよい。
【００３６】
実施の形態２．
以下、本発明の実施の形態２について説明するが、実施の形態１と重複するものについては（一部の）説明を省略し、実施の形態１と同じ部分または相当する部分には同じ符号を付す。
本実施の形態２では、キッチンが照明部３２５の点灯を要すると判定した後、照明パターンの設定を行い、快適な環境を提供する。なお、照明パターンとは、例えば、点滅パターン、照度の高低、色などである。
【００３７】
図５は、本発明の実施の形態２に係る機器制御システム１０Ａの制御の一例を示すフローチャートである。
以下、本実施の形態２に係る機器制御システム１０Ａの制御の一例を、図５を参照して説明する。
ステップＳ２０１〜ステップＳ２０６の処理は、実施の形態１のステップＳ１０１〜ステップＳ１０６の処理と同様であるため、説明を省略する。
ＨＥＭＳコントローラ１１は、キッチンが照明部３２５の点灯を要する場合は（ステップＳ２０３のＹｅｓ）、自身が有する現在の季節および現在の時間の情報に応じて照明部３２５の照明パターンの設定を行う（ステップＳ２０７）。例えば、ＨＥＭＳコントローラ１１は、現在が夜でキッチンが非常に暗いと判定した場合は、高い照度を設定し、現在が夕方でキッチンがそれほど暗くないと判定した場合は、低い照度を設定する。なお、キッチン照明３００の照明部３２５が複数の色でキッチンを照らすことができる場合は、調理モードに応じて美味しく見える色を設定してもよい。例えば、シチューの調理モードが設定されている場合は、料理の見栄えがよくなるように中白色を設定する。
【００３８】
そして、ＨＥＭＳコントローラ１１は、照明部３２５の照明パターンの設定を行ったら（ステップＳ２０７）、キッチン照明３００に設定された照明パターンで照明部３２５を点灯させる指示信号を送信する（ステップＳ２０４）。なお、前記の点灯には、点滅の意味も含まれているものとする。
【００３９】
以上、本実施の形態２に係る機器制御システム１０Ａによれば、実施の形態１と同様の効果を得ることができる。また、ＩＨ加熱調理器２００の調理状態およびキッチンの状態に応じた照明パターンを設定することができるため、キッチンの明るさ、色などを自動で調整することができ、快適な環境を提供することができる。
【００４０】
なお、上記ではキッチンの明るさに応じてキッチン照明３００の照明部３２５の照度を設定しているが、それに限定されず、調理モードに応じてキッチン照明３００の照明部３２５の照度を設定してもよい。例えば、揚げ物など高温で調理する調理モードが設定されている場合は高い照度を設定し、低温で調理する調理モードが設定されている場合は、低い照度を設定する。
【００４１】
さらに、ＩＨ加熱調理器２００での調理の進行状況に応じて、キッチン照明３００の照明部３２５の照明パターンを変更してもよい。例えば、予熱工程を開始したら照明部３２５の照度を低く設定し、予熱工程の完了が近づくにつれて照明部３２５の照度を徐々に高く設定し、完了したら照明部３２５の点滅を設定することで、ユーザーに調理開始を知らせる。このように、ＩＨ加熱調理器２００での調理の進行状況に応じて、キッチン照明３００の照明部３２５の照明パターンを変更することで、ユーザーに調理の進行状況を視覚的に知らせることができる。
【００４２】
実施の形態３．
以下、本発明の実施の形態３について説明するが、実施の形態１および２と重複するものについては（一部の）説明を省略し、実施の形態１および２と同じ部分または相当する部分には同じ符号を付す。
【００４３】
図６は、本発明の実施の形態３に係る機器制御システム１０Ｂを示す機能ブロック図である。
本実施の形態３では、図６に示すように、キッチン照明３００が、キッチンの明るさを検知する明るさ検知部３２６を備えている。明るさ検知部３２６は、例えば照度センサなどである。そして、ＨＥＭＳコントローラ１１は、キッチン照明３００から取得したキッチンの明るさに関する情報、つまりキッチン照明３００の明るさ検知部３２６に応じてキッチンが照明部３２５の点灯を要するかどうかを判定する。
【００４４】
そのため、実施の形態１および２のようにＨＥＭＳコントローラ１１自身が有する現在の季節および現在の時間の情報に応じてキッチンが照明部３２５の点灯を要するかどうかを判定する場合に比べて、キッチンが照明部３２５の点灯を要するかどうかをより正確に判定することができる。
【００４５】
以上、本実施の形態３に係る機器制御システム１０Ｂによれば、実施の形態１および２と同様の効果を得ることができる。
【００４６】
なお、本実施の形態３のように、キッチン照明３００が、キッチンの明るさを検知する明るさ検知部３２６を備えている場合は、ＨＥＭＳコントローラ１１が現在の季節および現在の時間の情報を有しなくてもよいため、タイマ部１１４を備えていなくてもよい。
【００４７】
実施の形態４．
以下、本発明の実施の形態４について説明するが、実施の形態１〜３と重複するものについては（一部の）説明を省略し、実施の形態１〜３と同じ部分または相当する部分には同じ符号を付す。
【００４８】
本実施の形態４では、ＩＨ加熱調理器２００の天板に載置されている調理容器が高温状態でキッチンに人が不在の場合、ユーザーに対する注意喚起を行い、安全性を向上させる。
【００４９】
図７は、本発明の実施の形態４に係る機器制御システム１０Ｃを示す機能ブロック図である。
本実施の形態４では、図７に示すように、ＩＨ加熱調理器２００が、キッチンに人がいるかどうかを検知する人検知部２２７を備えている。人検知部２２７は、例えば赤外線人感センサなどである。
また、キッチン照明３００の照明部３２５は、複数色の照明パターンを有しており、通常時と注意喚起時とでキッチンを照らす色が異なる。なお、本実施の形態４では、通常時を白色とし、注意喚起時を赤色とする。
【００５０】
図８は、本発明の実施の形態４に係る機器制御システム１０Ｃの制御の一例を示すフローチャートである。
以下、本実施の形態４に係る機器制御システム１０Ｃの制御の一例を、図８を参照して説明する。
ステップＳ３０１〜ステップＳ３０６の処理は、実施の形態１のステップＳ１０１〜ステップＳ１０６の処理と同様であるため、説明を省略する。
ＨＥＭＳコントローラ１１は、ＩＨ加熱調理器２００から取得した情報に応じてキッチンに人が不在であるかどうかを判定する（ステップＳ３０７）。
【００５１】
ＨＥＭＳコントローラ１１は、キッチンに人が不在であると判定した場合は（ステップＳ３０７のＹｅｓ）、ＩＨ加熱調理器２００から取得した情報に応じてＩＨ加熱調理器２００の天板に載置されている調理容器が高温状態であるかどうかを判定する（ステップＳ３０８）。
ＨＥＭＳコントローラ１１は、温度検知部２２６が検知する調理容器の温度が基準値以上、すなわち、調理容器が高温状態であると判定した場合は（ステップＳ３０８のＹｅｓ）、ユーザーに対する注意喚起としてキッチン照明３００に照明部３２５を赤色点灯させる信号を送信する（ステップＳ３０９）。
【００５２】
一方、ＨＥＭＳコントローラ１１は、キッチンに人が不在でない、つまり人がいると判定した場合は（ステップＳ３０７のＮｏ）、キッチン照明３００から取得した情報または自身が有するキッチン照明３００に対する指示情報に応じてキッチン照明３００の照明部３２５が赤色点灯しているかどうかを判定する（ステップＳ３１０）。
ＨＥＭＳコントローラ１１は、キッチン照明３００の照明部３２５が赤色点灯していると判定した場合は（ステップＳ３１０のＹｅｓ）、ユーザーに対する注意喚起が不要であるとしてキッチン照明３００に照明部３２５を消灯させる指示信号を送信する（ステップＳ３１１）。
【００５３】
以上、本実施の形態４に係る機器制御システム１０Ｃによれば、実施の形態１および３と同様の効果を得ることができる。また、ＩＨ加熱調理器２００の天板に載置されている調理容器が高温状態でキッチンに人が不在の場合、ユーザーに対する注意喚起を行うことができるため、安全性をさらに向上させることができる。
【００５４】
なお、本実施の形態４では、ユーザーに対する注意喚起としてキッチン照明３００の照明部３２５を赤色点灯させているが、それに限定されず、例えばキッチン照明３００の照明部３２５を点滅させるなどユーザーに注意喚起する照明パターンであればよい。
また、ステップＳ３０８およびステップＳ３０５において、調理容器の温度が高温状態かどうかを判定したが、天板の温度が高温状態かどうかを判定するようにしてもよい。調理が終了した後、調理容器が天板から移動され、調理容器が天板に載置されていない状態で、天板が高温状態の場合にも、ユーザーに対する注意喚起を行うことができる。
【００５５】
また、温度検知部２２６は天板を介して天板の上に載置されている調理容器の温度を検知するようにしたが、例えば赤外線センサを用いて、天板を介さずに調理容器の温度を直接検知するようにしてもよい。
また、本実施の形態４は、実施の形態２を組み合わせることができる。
【００５６】
実施の形態５．
以下、本発明の実施の形態５について説明するが、実施の形態１〜４と重複するものについては（一部の）説明を省略し、実施の形態１〜４と同じ部分または相当する部分には同じ符号を付す。
【００５７】
本実施の形態５では、キッチンが照明部３２５の点灯を要する明るさであるにも関わらず、キッチン照明３００の照明部３２５が消灯している場合、ＩＨ加熱調理器２００に使用制限をかける。なお、使用制限とは、例えば加熱部２２５の出力を制限する、調理モードの選択を制限する、加熱部２２５を停止する、などであり、加熱部２２５が高出力とならないようにＩＨ加熱調理器２００の使用を制限することで、安全性を向上させる。
【００５８】
図９は、本発明の実施の形態５に係る機器制御システム１０Ｄの制御の一例を示すフローチャートである。
以下、本実施の形態５に係る機器制御システム１０Ｄの制御の一例を、図９を参照して説明する。
ＨＥＭＳコントローラ１１は、ＩＨ加熱調理器２００およびキッチン照明３００から現在の状態など各種情報を受信する（ステップＳ４０１）。
ＨＥＭＳコントローラ１１は、キッチン照明３００から取得した情報に応じてキッチンが照明部３２５の点灯を要するかどうかを判定する（ステップＳ４０２）。
【００５９】
ＨＥＭＳコントローラ１１は、キッチンが照明部３２５の点灯を要すると判定した場合は（ステップＳ４０２のＹｅｓ）、キッチン照明３００から取得した情報に応じて照明部３２５が点灯しているかどうかを判定する（ステップＳ４０３）。
ＨＥＭＳコントローラ１１は、照明部３２５が点灯していないと判定した場合は（ステップＳ４０３のＮｏ）、ＩＨ加熱調理器２００に使用制限の指示信号を送信する（ステップＳ４０４）。
【００６０】
その後、ＨＥＭＳコントローラ１１は、ＩＨ加熱調理器２００およびキッチン照明３００から現在の状態など各種情報を受信し（ステップＳ４０１）、キッチン照明３００から取得した情報に応じてキッチンが照明部３２５の点灯を要するかどうかを判定する（ステップＳ４０２）。
ＨＥＭＳコントローラ１１は、キッチン照明３００の照明部３２５の点灯を要しないと判定した場合は（ステップＳ４０２のＮｏ）、ＩＨ加熱調理器２００から取得した情報または自身が有するＩＨ加熱調理器２００に対する指示情報に応じてＩＨ加熱調理器２００が使用制限中であるかどうかを判定する（ステップＳ４０５）。
【００６１】
または、ＨＥＭＳコントローラ１１は、キッチンが照明部３２５の点灯を要すると判定した場合で（ステップＳ４０２のＹｅｓ）、かつ、照明部３２５が点灯していると判定した場合は（ステップＳ４０３のＹｅｓ）、ＩＨ加熱調理器２００から取得した情報または自身が有するＩＨ加熱調理器２００に対する指示情報に応じてＩＨ加熱調理器２００が使用制限中であるかどうかを判定する（ステップＳ４０５）。
【００６２】
ＨＥＭＳコントローラ１１は、ＩＨ加熱調理器２００が使用制限中であると判定した場合は（ステップＳ４０５のＹｅｓ）、ＩＨ加熱調理器２００に使用制限解除の指示信号を送信する（ステップＳ４０６）。
【００６３】
以上、本実施の形態５に係る機器制御システム１０Ｄによれば、実施の形態１〜４と同様の効果を得ることができる。また、キッチンが照明部３２５の点灯を明るさであるにも関わらず、キッチン照明３００の照明部３２５が消灯している場合、加熱部２２５が高出力とならないようにＩＨ加熱調理器２００に使用制限をかけることで、安全性を向上させることができる。
【符号の説明】
【００６４】
１０  機器制御システム、１０Ａ  機器制御システム、１０Ｂ  機器制御システム、１０Ｃ  機器制御システム、１０Ｄ  機器制御システム、１１  ＨＥＭＳコントローラ、１０１  操作端末、１０２  ブロードバンドルータ、１０３  インターネット、１１１  制御部、１１２  無線通信インタフェース、１１３  有線通信インタフェース、１１４  タイマ部、１１５  記憶部、２００  ＩＨ加熱調理器、２２１  制御部、２２２  記憶部、２２３  無線通信インタフェース、２２４  操作部、２２５  加熱部、２２６  温度検知部、２２７  人検知部、３００  キッチン照明、３２１  制御部、３２２  記憶部、３２３  無線通信インタフェース、３２４  操作部、３２５  照明部、３２６  明るさ検知部。
【図１】
0006594234.tif 000002
【図２】
0006594234.tif 000003
【図３】
0006594234.tif 000004
【図４】
0006594234.tif 000005
【図５】
0006594234.tif 000006
【図６】
0006594234.tif 000007
【図７】
0006594234.tif 000008
【図８】
0006594234.tif 000009
【図９】
0006594234.tif 000010